(57)【特許請求の範囲】
【請求項１】
ケース本体（１０）と蓋体（１１）とでディスクカートリッジ（１）用の収納室が区画してあり、ケース前面にディスクカートリッジ（１）を出し入れする第１開口（１２）が設けてあるブックケース型の収納ケースであって、
ケース本体（１０）の上面にディスクカートリッジ（１）およびインデックスカードを出し入れする第２開口（１７）が設けられており、
蓋体（１１）は、ケース本体（１０）の左右の側壁（１５）の内面と蓋体（１１）の蓋側壁（１９）の外面との間に設けた、軸（２１）および前後に長いガイド溝（２２）を介してケース本体（１０）に連結されていて、第２開口（１７）を閉止する閉じ位置と、ガイド溝（２２）に沿って第１開口（１２）から遠ざかる側へスライド移動する開放待機位置と、ガイド溝（２２）の端部において上開き揺動して第２開口（１７）を開放する開放位置とに変位できるようケース本体（１０）に支持されており、
ケース本体（１０）の底壁（１４）の第１開口（１２）の近傍左右に、蓋側壁（１９）と協同してディスクカートリッジ（１）の左右方向の遊動を規制する規制リブ（３５）が突設されており、
蓋体（１１）が前記閉じ位置あるときに、規制リブ（３５）と蓋側壁（１９）との接当干渉を避けるための切欠部（３７）が、蓋側壁（１９）の前部に形成してあるディスクカートリッジ用の収納ケース。
【請求項２】
規制リブ（３５）の前後長さが、少なくとも蓋体（１１）のスライド開放ストロークと同じに設定してあり、
左右の規制リブ（３５）の前部に、第１開口（１２）の側へ向かって外拡がり状に傾斜する挿入ガイド部（３６）が形成されている請求項１記載のディスクカートリッジ用の収納ケース。
【請求項３】
蓋体（１１）の主面壁（１８）が、ケース本体（１０）の左右の側壁（１５）の間に嵌まり込んで第２開口（１７）を閉止しており、
蓋側壁（１９）の外側面側の切欠縁に、規制リブ（３５）と接当して蓋側壁（１９）が規制リブ（３５）の内側面側へ落ち込むのを防ぐための接当片（３８）が突設されている請求項１又は２記載のディスクカートリッジ用の収納ケース。  
【発明の詳細な説明】
【０００１】
【発明の属する技術分野】
薄い角箱状のカートリッジケース内に、光ディスクや光磁気ディスク等のディスク状の信号記録媒体を内蔵したディスクカートリッジがある。本発明は、この種のディスクカートリッジを収納保存するためのブックケース型の収納ケースに関する。収納ケースには常時開口するケース前面の第１開口と、蓋体で開閉されるケース上面の第２開口とが設けてある。
【０００２】
【従来の技術】
かかるディスクカートリッジのひとつにミニディスク（以下単にＭＤという）がある。ＭＤ用の収納ケースは薄い角箱状に形成してあり、ケース前側面に出入口を設けてブックケース状に構成してある。ケース内には一対のロック体が組み込んであり、ＭＤを収納ケースに差し込んで、両ロック体をカートリッジケースの下面両側の位置決め凹部に落とし込み係合することにより、ＭＤが収納ケースから滑落するのを防止できる。この収納ケースは、ＭＤを収納ケースに単に挿嵌し、あるいはＭＤをロック体の弾性に抗して収納ケースから抜き出し操作するだけで、手軽に出し入れできる。しかし、出入口の開口幅が５〜６mm前後と狭いため、例えば薄暗い場所等ではＭＤを収納ケースに挿嵌し辛い。インデックスカードの収納ケースへの出し入れも煩雑となる。
【０００３】
上記のような使用上の不便を解消するために、本出願人はケース前面の第１開口とは別に、ケース上面をも開閉できる収納ケースを先に提案した。そこでは、図９に示すように、蓋体５０をケース本体５１で前後スライド自在に支持して、蓋体５０を閉じ位置から矢印ａで示す分だけスライド開放したのち上開き揺動して、ケース上面の第２開口５２を開放する蓋開閉構造を採った。他物と衝突し、あるいは落下衝撃を受けた蓋体５０が、簡単に開くのを防ぐためである。なお、蓋体５０は蓋側壁５３に突設した軸５４と、側壁５４の内面のリブ５５で区画したガイド溝５６を介してケース本体５１に連結してある。蓋側壁５３はケース本体５１の側壁５７より内側に、先のリブ５５の突設寸法分だけ間隔をあけて配置してある。
【０００４】
【発明が解決しようとする課題】
上記の収納ケースでは、常態において左右一対の蓋側壁５３の間にＭＤを収容するので、蓋体５０をスライド開放すると、それまで蓋側壁５３で規定されていた第１開口５８の実質開口幅が拡大することになる。詳しくは、左右の蓋側壁５３の厚み寸法と、左右のリブ５５の突出寸法の合計値分だけ実質開口幅が拡がる。そのため、蓋体５０をスライド開放した状態でＭＤをケース内へ装填する際に、ＭＤが左右方向へ位置ずれしやすい。場合によってはＭＤの装填端が蓋側壁５３の前端に受け止められることもあり、ＭＤの装填をスムーズに行えない。
【０００５】
本発明の目的は、蓋体を一定量スライド開放した状態においても、ディスクカートリッジを適正に収納できるようにすることにある。本発明の目的は、ディスクカートリッジを抜き取った空状態の収納ケースのケース強度を向上し、とくに蓋体の主面壁がケース本体の底壁に接近する向きの外力を受ける場合にも、主面壁のたわみ変形を極力避けて、ケースの変形や破損を防止することにある。
【０００６】
【課題を解決するための手段】
本発明は、ケース本体１０と蓋体１１とでディスクカートリッジ１用の収納室が区画してあり、ケース前面にディスクカートリッジ１を出し入れする第１開口１２が設けてあるブックケース型の収納ケースを対象とする。ケース本体１０の上面にはディスクカートリッジ１およびインデックスカードを出し入れする第２開口１７を設ける。蓋体１１は、ケース本体１０の左右の側壁１５と蓋体１１の蓋側壁１９との間に設けた、軸２１および前後に長いガイド溝２２を介してケース本体１０に連結されていて、第２開口１７を閉止する閉じ位置と、ガイド溝２２に沿って第１開口１２から遠ざかる側へスライド移動する開放待機位置と、ガイド溝２２の端部において上開き揺動して第２開口１７を開放する開放位置とに変位できるようケース本体１０に支持する。ケース本体１０の底壁１４の第１開口１２の近傍左右に、蓋側壁１９と協同してディスクカートリッジ１の左右方向の遊動を規制する規制リブ３５を突設する。
【０００７】
具体的には、蓋側壁１９と規制リブ３５の形成範囲が重複する場合には、閉じ位置において、規制リブ３５との接当干渉を避ける切欠部３７を、蓋側壁１９の前部に形成する。
【０００８】
規制リブ３５の前後長さは、少なくとも蓋体１１のスライド開放ストロークと同じに設定する。左右の規制リブ３５の前部に、第１開口１２の側へ向かって外拡がり状に傾斜する挿入ガイド部３６を形成する。
【０００９】
蓋体１１の主面壁１８が、ケース本体１０の左右の側壁１５の間に嵌まり込んで第２開口１７を閉止している収納ケースにおいて、蓋側壁１９の外側面側の切欠縁に、規制リブ３５と接当して、蓋側壁１９が規制リブ３５の内側面側へ落ち込むのを防ぐための接当片３８を突設する。
【００１０】
【作用】
第１開口１２に面した底壁１４の左右に規制リブ３５を設け、この規制リブ３５でディスクカートリッジ１の左右遊動を規制するので、蓋体１１を開放待機位置へスライドした状態においても、ディスクカートリッジ１をスムーズに差し込み装填できる。装填時に、ディスクカートリッジ１の装填端が蓋側壁１９に当たって引っ掛かることもない。
【００１１】
規制リブ３５の上下高さ寸法および前後長さ寸法は、収納ケースの内法高さ寸法と、閉じ位置における軸２１と第１開口１２との間の前後範囲内で自由に変更できる。従って、蓋側壁１９と規制リブ３５の形成範囲が重複する場合には、蓋側壁１９に切欠部３７を設けて、閉じ位置において蓋側壁１９が規制リブ３５と接当干渉するのを避ける。規制リブ３５の前部に挿入ガイド部３６を形成すると、第１開口１２の側からディスクカートリッジ１をケース内へ差し込み装填する場合に、その装填端を挿入ガイド部３６で位置決め案内して、より容易にディスクカートリッジ１を装填できる。
【００１２】
上記のように切欠部３７を設けた蓋側壁１９においては、主面壁１８に外力が作用するとき、主面壁１８や蓋側壁１９の一部が弾性変形されて、蓋側壁１９の切欠部３７の周縁壁が規制リブ３５の内側へ落ち込むことがある。とくに、ケース本体１０の左右の側壁１５の間に主面壁１８が嵌まり込む状態で第２開口１７を閉止する場合に、その傾向が強い。しかし、切欠部３７の切欠縁の外面に接当片３８を突設しておくと、蓋側壁１９が規制リブ３５より内側へたわみ変形したとしても、接当片３８が規制リブ３５と接当して、蓋側壁１９が規制リブ３５の上端面より下方へ落ち込むのを確実に防止し、主面壁１８のたわみ変形を極力避けることができる。規制リブ３５は補強作用を発揮して、底壁１４のたわみ変形を抑止することにも役立つ。
【００１３】
【実施例】
図１ないし図６は本発明の実施例を示しており、これはＭＤ（ディスクカートリッジ）用の収納ケースに供するものである。図２においてＭＤ１は、光磁気ディスク２が薄角箱状のカートリッジケース３に収まっており、カートリッジケース３の上下両面の一側に開口した信号読み取り窓４をシャッター５でスライド開閉できる。カートリッジケース３の下ハーフの左右両側の後部には、位置決め用の凹部６が半長円状にそれぞれ凹設されている。
【００１４】
図２において、収納ケースはケース本体１０と蓋体１１とで内部に収納室が区画してある薄形角箱状のケースからなり、ケース前面にＭＤ１を出し入れするための第１開口１２が設けてある。収納室の内部には、ＭＤ１と共にインデックスカードを収容できる。
【００１５】
図１においてケース本体１０は、底壁１４と、左右一対の側壁１５・１５と、底壁１４の後縁に立設した後壁１６とを一体に形成した、上面および前面が開口するプラスチック成形品からなり、ケース前面の開口を先の第１開口１２とし、ケース上面の開口を第２開口１７とする。蓋体１１は、第２開口１７の全体を上面側から閉止する主面壁１８と、主面壁１８の左右両側の下面側に突設した左右一対の蓋側壁１９と、主面壁１８の後縁の左右両端から下方に突設した蓋後壁２０とを一体に形成したプラスチック成形品からなり、透明ないし半透明のプラスチック材で形成する。両蓋側壁１９の対向間隔は、ＭＤ１の左右幅寸法より僅かに大きく設定してある。
【００１６】
ケース本体１０と蓋体１１とは次のように連結することにより、先の第２開口１７を蓋体１１で開閉する。図１および図５に示すように、蓋体１１の左右の蓋側壁１９の中途部の下端外面に軸２１をそれぞれ外向きに突設し、ケース本体１０の左右側壁１５の後端下部にガイド溝２２を設け、このガイド溝２２で軸２１を受け入れ支持する。ガイド溝２２は、側壁１５の内面に突設したリブ２３で区画してある。ガイド溝２２の長さは、後述するロック体３０の装着位置との関係で規定しており、蓋体１１を開放待機位置までスライド開放したとき、ロック体３０がケース後方へ十分に突出できる長さに設定する。
【００１７】
蓋体１１は、主面壁１８がケース本体１０の左右側壁１５の間に面一状に嵌まり込んで、第２開口１７を完全に閉止する図５（ａ）の閉じ位置と、図５（ｂ）に示すように全体がガイド溝２２に沿って第１開口１２から遠ざかる向き（後方）へスライド移動した開放待機位置と、図５（ｃ）の想像線で示すように全体が軸２１を中心にして上開き揺動して第２開口１７を開放する開放位置とに変位できる。蓋体１１の後方ライドを許すために、図１に示すごとく後壁１６の左右両端には、それぞれ開口２５を設けてある。さらに、蓋体１１が揺動開閉するとき、蓋側壁１９がケース本体１０の底壁１４と接当干渉するのを防ぐために、蓋側壁１９の軸２１より後ろ側の壁面に逆Ｖ字形の切欠２６を設けている。
【００１８】
閉じ位置において、蓋体１１が不用意にケース後方へスライド移動するのを規制するために、蓋側壁１９と左右の側壁１５との対向面間にスライドロックを設ける。図３および図５においてスライドロックは、蓋側壁１９の外側面の前端上部に突設した係合片２７と、係合片２７に対応して両側壁１５の内側面の前端上部に突設したロック壁２８とからなる。係合片２７の上面前端には、ロック壁２８に係合する突部２９を設ける。閉じ位置において、突部２９はロック壁２８の前面に下方から接当係合して、蓋体１１が後方へスライドするのを規制する。係合片２７を弾性変形させながら突部２９がロック壁２８の下面をくぐり抜けた時点で、スライドロックはロック解除状態に切り換わる。
【００１９】
収納ケースの取り扱い時にＭＤ１が収納ケースから滑落するのを防ぐために、蓋体１１の左右の蓋側壁１９にそれぞれロック体３０を設ける。図４においてロック体３０は、前後一対の係合爪３１を有するコ字枠状の基部３２と、基部３２の下部に連続する台形枠状の弾性腕３３とを一体に形成したプラスチック成形品からなり、係合爪３１を蓋側壁１９に圧嵌係合して装着する。この装着状態において、弾性腕３３は蓋側壁１９の内側方に突出するので、図４に示すようにＭＤ１を収納ケースに装填した状態では、弾性腕３３が凹部６に外側方から係合できる。
【００２０】
開放待機位置や開放位置において、ＭＤ１をケース本体１０内へスムーズに装填するために、底壁１４の左右に一対の規制リブ３５を側壁１５と平行に突設する。図１に示すように規制リブ３５は第１開口１２の近傍からガイド溝２２の近傍にわたって設けてあり、その前端に挿入ガイド部３６を一体に形成する。一対の挿入ガイド部３６は、第１開口１２の側へ向かって外広がり上に傾斜する状態でそれぞれ湾曲してある。挿入ガイド部３６を除く規制リブ３５の対向間隔は、蓋側壁１９の対向間隔と一致している。そこで、蓋側壁１９の前半側下部に切欠部３７を設け、蓋体１１を閉じた状態において、規制リブ３５と蓋側壁１９とが切欠部３７を介して上下に隣接できるようにしている。
【００２１】
蓋体１１に外力が作用するとき、上記の切欠部３７の周縁壁が規制リブ３５の内面側へ落ち込むおそれがある。とくに、主面壁１８が両側壁１５の間に嵌まり込む状態で第２開口１７を閉止する蓋構造を採るときに、その傾向が顕著に表れる。こうした蓋側壁１９の落ち込みを確実に防止して、主面壁１８のたわみ変形を防ぐために、蓋側壁１９に接当片３８を設ける。詳しくは、図６に示すように、切欠部３７に臨む蓋側壁１９の前端寄り外側面に、四角形状の接当片３８を水平に突設する。
【００２２】
以上のように構成した収納ケースは、使用状況に応じて蓋体１１を閉じた状態と、開放待機位置へスライド開放した状態と、第２開口１７の全体を開放した状態のいずれの状態ででも、ＭＤ１やインデックスカードを出し入れできる。開放待機位置や開放位置においては、蓋側壁１９をガイド部材に利用してＭＤ１を装填できない。しかし、ケース本体１０の側に一対の規制リブ３５を設けているので、装填端を規制リブ３５に当てがいながらＭＤ１を差し込むことにより、ＭＤ１を左右方向へ位置決めした状態でケース本体１０に容易に装填できる。この後に、蓋体１１を閉じ位置へスライド閉止すると、ロック体３０が凹部６と係合してＭＤ１を滑落不能にロック保持できる。規制リブ３５は底壁１４の補強材としても機能しており、底壁１４が厚み方向へたわみ変形するのを抑止することに役立っている。
【００２３】
規制リブ３５と側壁１５との間には、リブ２３の突出寸法分の隙間が形成される。この隙間を利用して、接当片３８を図７に示すように断面Ｌ字状に形成し、その縦壁３８ａを規制リブ３５の外側面で受け止めることができる。こうした接当片３８によれば、蓋側壁１９が規制リブ３５の内側へたわみ変形するのを解消できる。
【００２４】
図８において規制リブ３５は、その上端面が主面壁１８の内面と接当する高さに形成できる。この場合には、規制リブ３５の前後方向の形成範囲より後方にのみ蓋側壁１９を設けることとなる。接当片３８は主面壁１８の内面側端に突設する。
【００２５】
上記以外に、規制リブ３５は前後寸法の小さな直方体ブロックやピン状の突起として形成でき、これらの一群を直線列状に配置して形成できる。規制リブ３５の前後寸法は任意量に設定できるが、少なくとも蓋体１１のスライド開放ストロークと同じ程度であることが好ましい。軸２１を側壁１５の内面に突設し、蓋側壁１９の側にリブ２３を突設してガイド溝２２を形成することができる。蓋体１１は閉じ位置から９０度起立した位置まで開放できるに越したことはないが、開放位置において主面壁１８が傾斜する状態であってもよい。
【００２６】
【発明の効果】
本発明では、ケース本体１０の底壁１４に規制リブ３５を設けて、蓋体１１をスライド開放した状態においても、ディスクカートリッジ１を規制リブ３５で位置決めし、同時に装填時の姿勢および方向をガイドできるようにした。従って、蓋体１１をスライド開放し、あるいは第２開口１７を開放した状態においても、ディスクカートリッジ１をケース本体１０に対して適正に装填でき、必要に応じて第１開口１２と第２開口１７のいずれの側からでもＭＤ１を出し入れできる収納ケースの使い易さを更に向上できる。蓋側壁１９に接当片３８を設けて、蓋側壁１９が規制リブ３５の内面側へ落ち込むのを防止できるようにしたので、蓋体１１の主面壁１８が異常にたわみ変形するのを確実に防止して、空状態のケース強度を向上でき、例えば誤って収納ケースを踏み付けてしまった場合にも、ケースが変形したり破損するのを防止できる。
【図面の簡単な説明】
【図１】蓋体とケース本体を分解した状態の斜視図である。
【図２】収納ケースの内部構造を示す一部破断平面図である。
【図３】図２におけるＡ−Ａ線断面図である。
【図４】図２におけるＢ−Ｂ線断面図である。
【図５】蓋体の動作を閉じ位置と開放待機位置および開放位置の各動作位置において示す断面図である。
【図６】図２におけるＣ−Ｃ線断面図である。
【図７】接当片の変形例を示す断面図である。
【図８】規制リブの変形例を示す断面図である。
【図９】収納ケースの比較例を示す縦断側面図である。
【符号の説明】
１  ディスクカートリッジ
１０  ケース本体
１１  蓋体
１２  第１開口
１４  底壁
１７  第２開口
１８  主面壁
１９  蓋側壁
２１  軸
２２  ガイド溝
３５  規制リブ
３６  挿入ガイド部
３７  切欠部
３８  接当片
【図１】
0003749981.tif 000002
【図２】
0003749981.tif 000003
【図３】
0003749981.tif 000004
【図４】
0003749981.tif 000005
【図５】
0003749981.tif 000006
【図６】
0003749981.tif 000007
【図７】
0003749981.tif 000008
【図８】
0003749981.tif 000009
【図９】
0003749981.tif 000010